(57)【要約】      （修正有）【課題】埃や、ゴミがコネクターに入り込んで接続不良等を生じさせることのないハードディスクケースを提供する。【解決手段】本体ケースに形成された奥行きのあるスロット１１ａ、１１ｂの開口１２は、短手方向に二分割し、長手方向の開口縁部に沿って両端を回転可能に支持され、通常時は同スロットの開口を略平面状に閉塞する。開口１２の中央側にて下方に押し下げられると上記開口縁部の側を回転軸として開口動作可能な一対の蓋体１３、１４が配置され、一方の蓋体は単独で開口される時に上記複数の汎用的なハードディスクのうち小さい側のハードディスクの厚み相当分の開口を形成する幅としてある。【選択図】図１
0003175673.tif 000002
【実用新案登録請求の範囲】
【請求項１】
本体ケースと、
同本体ケースに形成された奥行きのあるスロットであって、開口部は矩形形状であるとともに、外形のサイズは異なるが特定の部位を基準とするコネクターの位置および形状が共通する複数の汎用的なハードディスクを挿入可能な形状であり、
同スロットの底面には、
上記複数の汎用的なハードディスクにおける共通するコネクターの位置に対面するように配設された待ち受け側コネクターと、
当該スロットに上記複数の汎用的なハードディスクが挿入されて、そのコネクターと上記待ち受け側コネクターとが接続された状態から、当該コネクターの近辺に当接しつつ当該スロットの開口に向けて押し出すように上記ハードディスクを移動させることが可能な押上機構とを有し、
上記スロットの開口には、
当該開口を短手方向に二分割し、長手方向の開口縁部に沿って両端を回転可能に支持され、通常時は同スロットの開口を略平面状に閉塞すると共に、開口の中央側にて下方に押し下げられると上記開口縁部の側を回転軸として開口動作可能な一対の蓋体が配置され、一方の蓋体は単独で開口される時に上記複数の汎用的なハードディスクのうち小さい側のハードディスクの厚み相当分の開口を形成する幅としてあることを特徴とするハードディスクケース。
【請求項２】
上記一対の蓋体は、相互に大きさが異なることを特徴とする請求項１に記載のハードディスクケース。
【請求項３】
上記一対の蓋体は、略平面状に上記開口を閉塞するにあたり、中央側で上記スロットの内側に微少距離だけ引き込まれた位置で待機することを特徴とする請求項１または請求項２に記載のハードディスクケース。
【請求項４】
上記一対の蓋体における上記待ち受け側コネクターの上方にあたる部位には、同待ち受け側コネクターの待ち受け位置を示す印刷が施されていることを特徴とする請求項１〜請求項３のいずれかに記載のハードディスクケース。
【請求項５】
上記一対の蓋体は、上記スロットの開口を実質的に閉塞する大きさとした板状部分と、当該板状部分の端面から回動動作の回動軸芯に対応して突出する回動軸とを有し、
上記スロットにおける当該回動軸が位置する部位には、当該回動軸を回動可能に収容して支持可能な軸受け部が形成されており、
かつ、上記板状部分における上記回動軸の根の部分には、当該回動軸の周囲にバネを挿入して保持可能な切り欠きを形成し、上記バネは、回動軸の周囲に保持されつつ一端を上記板状部分に係止され、他端を上記スロットにおける内周面に係止されることで、上記蓋体に対して常に上記開口を閉じる方向に付勢していることを特徴とする請求項１〜請求項４のいずれかに記載のハードディスクケース。
【請求項６】
上記スロットの内部では、上記一対の蓋体が回動動作されたときに、開口幅を狭めないように当該蓋体を収容可能な開口幅で上記底面に向けて開口が形成されつつ、同蓋体と干渉しない奥側には、開口幅を上記一対の蓋体の間の間隔と略同一にするように内側に向けて突出するリブを形成してあることを特徴とする請求項１〜請求項５のいずれかに記載のハードディスクケース。
【請求項７】
上記本体ケースには、複数の個別の機能に対応した点滅型の表示器を並べて配設してあり、通常時には同表示器は個別の機能に対応した点滅して同機能を表示し、特定時には複数の表示器の並びが所定の処理の進捗状態を示すことを特徴とする請求項１〜請求項６のいずれかに記載のハードディスクケース。
【請求項８】
上記表示器に対応して、上記本体ケースの表面には、上記個別の機能を示す印刷と、上記進捗状態を示す印刷とが、二段に付されていることを特徴とする請求項７に記載のハードディスクケース。
【請求項９】
上記本体ケース内で、上記表示器は、基板上に表面実装されたＬＥＤを有し、かつ、ＬＥＤは上記個別の機能と上記進捗状態を示すものとが別個に用意され、導光性のあるガイドレンズにて複数のＬＥＤの発光状態を一カ所にまとめていることを特徴とする請求項７または請求項８に記載のハードディスクケース。
【請求項１０】
上記本体ケースは、二つ以上の上記スロットが形成されると共に、内部には、一方のスロットに装着されたハードディスクから他方のスロットに装着されたハードディスクに記憶内容を転送させる複製回路を有しており、また、上記本体ケースには、この複製回路を起動させるスイッチを有すると共に、同スイッチは、長押しで起動させるなどの誤操作防止の機能を有していることを特徴とする請求項１〜請求項９のいずれかに記載のハードディスクケース。
【請求項１１】
上記押上機構は、上記待ち受け側のコネクターと近接して配置され、同待ち受け側コネクターに近い側の薄幅の部位を補強して形成されており、上記ハードディスクにおけるコネクターの一部に当接して押し出すように移動することを特徴とする請求項１〜請求項１０のいずれかに記載のハードディスクケース。
【請求項１２】
上記押上機構は、上記ハードディスクにおける底面に対面する部位において、上記コネクターに当接する部位を除き、凹みを形成してあり、同ハードディスクにおける上記コネクター以外の凸部に干渉しないようにしていることを特徴とする請求項１１に記載のハードディスクケース。
【請求項１３】
上記本体ケースには、挿入されている上記ハードディスクに対するデータの書き込みを所定の操作に対応して禁止させる書込禁止回路を有していることを特徴とする請求項１〜請求項１２のいずれかに記載のハードディスクケース。
【請求項１４】
上記本体ケースには、外部機器を接続しない状態で挿入されている上記ハードディスクに対して上書き消去のための所定のデータの書込をさせる上書き消去回路を有することを特徴とする請求項１〜請求項１３のいずれかに記載のハードディスクケース。
【請求項１５】
上記本体ケースには、複数のスロットが形成され、一のスロットに挿入されるハードディスクを外付けハードディスクとして機能させ、他の一のスロットに挿入されるハードディスクに対して上記上書き消去回路を機能させることを特徴とする請求項１４に記載のハードディスクケース。
【考案の詳細な説明】
【技術分野】
【０００１】
本考案は、ハードディスクケースに関し、特に、所定のスロットにハードディスクを挿入するだけでハードディスクを使用可能にするハードディスクケースに関する。
【背景技術】
【０００２】
従来、この種のハードディスクケースとして、特許文献１および２に示すものが知られている。
特許文献１に示すものは、ハードディスクドライブに何らの外装を装着しない状態で、そのまま同ハードディスクドライブを、本体（本体ケース）の上面のハードディスクスロット（開口部）に挿入すると、この開口部の底で待ち受けているコネクターと、ハードディスクドライブの側に設けられているコネクターとが電気的に導通し、さらに本体ケース内の所定のインターフェイス回路を介して、コンピューターの外付けハードディスクのように使用可能となる。なお、上記開口部は常に開口したままである。
【０００３】
特許文献２に示すものは、同様に、本体ケースと、開口部とを備え、同様の機能を奏する。一方、特許文献２に示すものでは、開口部に蓋体が備え付けられている。この蓋体は閉じた状態でも一部が開口したままとなるように、本来矩形状の蓋体の一つの角を切り欠いて切り欠き部を有している。切り欠き部によって蓋体は概略Ｌ字型としている。
切り欠く前の蓋体は通称３．５型のハードディスクの断面寸法とほぼ同等であり、切り欠き部の開口形状は通称２．５型のハードディスクの断面寸法とほぼ同等である。３．５型のハードディスクと２．５型のハードディスクでは、切り欠いた角を基準としたコネクターの位置が共通する。このため、開口部の底に３．５型のハードディスクのコネクターに対面するように待ち受け側のコネクターを設けておいた場合、蓋体を閉じたまま、切り欠き部によって開口している部分に２．５型のハードディスクを挿入すれば、当該２．５型のハードディスクも上記待ち受け側のコネクターと接続することができる。この場合、開口端部分で２．５型のハードディスクは２面を開口部の壁材にて支持され、残り２面を切り欠き部のL字型とした開口端で支持される。
【先行技術文献】
【特許文献】
【０００４】
【特許文献１】実用新案登録第３１４４０７３号公報
【特許文献２】実用新案登録第３１３４６９５号公報
【考案の概要】
【考案が解決しようとする課題】
【０００５】
上述した特許文献１に開示する技術の場合、開口部に全く蓋がない。このため、埃や、ゴミが開口部内に侵入しやすく、特に待ち受け側のコネクターに入り込むと接続不良等を生じかねない
上述した特許文献２に開示する技術の場合、一応の蓋はある。しかし、２．５型のハードディスクの外形形状に対応する部分が開口しており、かつ、当該部分の真下に待ち受け側のコネクターが位置しているので、実質的にコネクターの上方に蓋がないの同じであり、埃や、ゴミがコネクターに入り込むと接続不良等を生じかねない。
【０００６】
本考案は、上記課題にかんがみてなされたもので、埃や、ゴミがコネクターに入り込んで、接続不良等を生じさせることのないハードディスクケースを提供する。
【課題を解決するための手段】
【０００７】
本考案は、本体ケースに以下のようなスロットを有する構成となっている。
同本体ケースに形成された奥行きのあるスロットであって、開口部は矩形形状であるとともに、外形のサイズは異なるが特定の部位を基準とするコネクターの位置および形状が共通する複数の汎用的なハードディスクを挿入可能な形状であり、
同スロットの底面には、
上記複数の汎用的なハードディスクにおける共通するコネクターの位置に対面するように配設された待ち受け側コネクターと、
当該スロットに上記複数の汎用的なハードディスクが挿入されて、そのコネクターと上記待ち受け側コネクターとが接続された状態から、当該コネクターの近辺に当接しつつ当該スロットの開口に向けて押し出すように上記ハードディスクを移動させることが可能な押上機構とを有し、
上記スロットの開口には、
当該開口を短手方向に二分割し、長手方向の開口縁部に沿って両端を回転可能に支持され、通常時は同スロットの開口を略平面状に閉塞すると共に、開口の中央側にて下方に押し下げられると上記開口縁部の側を回転軸として開口動作可能な一対の蓋体が配置され、一方の蓋体は単独で開口される時に上記複数の汎用的なハードディスクのうち小さい側のハードディスクの厚み相当分の開口を形成する幅としてある。
【０００８】
上記のように構成した本考案においては、本体ケースのスロットには、外形のサイズは異なるが特定の部位を基準とするコネクターの位置および形状が共通する複数の汎用的なハードディスクを挿入可能である。また、同スロットの底面には、上記複数の汎用的なハードディスクにおける共通するコネクターの位置に対面するように配設された待ち受け側コネクターを設けてあるので、いずれの汎用的なハードディスクを挿入しても、同ハードディスクのコネクターと待ち受け側コネクターとは、接続されることになる。
【０００９】
また、スロットに上記ハードディスクが挿入されて、そのコネクターと待ち受け側コネクターとが接続された状態からは、容易に同ハードディスクを引き抜くことができない。しかし、押上機構は当該コネクターの近辺に当接しつつ当該スロットの開口に向けてハードディスクを押し出すように移動するため、押し出す力がハードディスクはコネクター同士の嵌合力を上回り、当該ハードディスクを押し出す。
【００１０】
さらに、上記開口には、同開口を短手方向に二分割し、長手方向の開口縁部に沿って両端を回転可能に支持され、通常時は同スロットの開口を略平面状に閉塞する一対の蓋体が配置されている。通常時は一対の蓋体が略平面状に開口を閉塞するので、従来のように埃やゴミが容易に開口に侵入することはない。
また、一対の蓋体は、開口の中央側にて下方に押し下げられると、上記開口縁部の側を回転軸として開口動作可能であるため、蓋体があることでハードディスクが挿入されることの妨げとはならない。ここで、一対の蓋体のうちの一方の蓋体は、単独で開口される時に汎用的なハードディスクのうち小さい側のハードディスクの厚み相当分の開口を形成する幅となっている。従って、小さい側のハードディスクを挿入するときは、一方の蓋体だけが回動動作し、他方は依然として略平面状に開口を閉じている。このとき、同ハードディスクは二面においてスロットの開口端に当接し、残りの一面において他方の蓋体の先端に当接する。合計三面にて開口端で当接することになり、ハードディスクがぐらついてしまうことはない。なお、残りの一面は当接するものがないが、ハードディスクを挿入したときは厚み方向への揺動はしやすいものの、幅方向への揺動はしにくい。なぜなら、コネクター自体がハードディスクの幅方向に長手に形成されているからである。
【００１１】
従って、三面で当接する場合でも支持性能に支障はない。また、支持されていない側では開口したままとなるが、この状態ではハードディスクが挿入されているのだから、コネクターは密に嵌合されたままであり、埃やゴミの侵入を想定することは無用である。
【考案の効果】
【００１２】
以上説明したように本考案は、複数の汎用的なサイズのハードディスクを受け入れて使用可能な状態にできる上、ハードディスクを挿入しないとき、あるいはいずれのハードディスクを挿入したときでも、待ち受け側のコネクターの上方を覆うことなく放置することもない。また、小型のハードディスクを挿入したときでも、揺動しやすい方向についてはしっかりと両面から支持して揺れにくくすることができる。
【図面の簡単な説明】
【００１３】
【図１】本考案の一実施例にかかるハードディスクケースの外観を示す斜視図である。
【図２】同ハードディスクケースの電気回路構成を示すブロック図である。
【図３】同ハードディスクケースに２．５型のハードディスクドライブを挿入した状態を示す斜視図である。
【図４】同ハードディスクケースの非使用状態の平面図である。
【図５】同ハードディスクケースの蓋体の平面図である。
【図６】同ハードディスクケースが開口部を閉塞している状態の概略断面図である。
【図７】同ハードディスクケースの開口部の内周壁面の正面図である。
【図８】上記蓋体に付勢力を付与するコイルスプリングの斜視図である。
【図９】同ハードディスクケースの蓋体を開ききった状態を示す正面と右側面と上面を見る斜視図である。
【図１０】同ハードディスクケースの蓋体を開ききった状態を示す背面と左側面と上面を見る斜視図である。
【図１１】同ハードディスクケースにおける上記蓋体のうち、待ち受け側コネクターの上方を覆う側の蓋体の一方を開いた状態を示す平面図である。
【図１２】押上機構の概略構成を示す斜視図である。
【図１３】基板上の平面実装ＬＥＤとガイドレンズの位置関係を示す斜視図である。
【図１４】同ハードディスクケースの正面でＬＥＤ部分の周囲の印刷状態を示す正面図である。
【考案を実施するための形態】
【００１４】
以下、図面にもとづいて本考案の実施形態を説明する。
図１は、本考案の一実施例にかかるハードディスクケースの外観における正面と右側面と上面を示す斜視図である。
同図において、ハードディスクケース（本体ケース）１０は、概略矩形の筐体を有し、上面には下方に通じる二つの奥行きのあるスロット１１ａ，１１ｂが形成されている。各スロット１１ａ，１１ｂの開口部１２，１２はそれぞれ一対の蓋体１３，１４が装着されており、開口部１２，１２と隣接して押上機構２０を動作させる押上レバー２１，２１が突出している。
【００１５】
ハードディスクケース１０の正面における下方の部位には横一線に並ぶように四つのＬＥＤのガイドレンズ３１ａ〜３１ｄが露出しており、後述するように内部でＬＥＤが点灯されたときにその発光光を当該ガイドレンズ３１ａ〜３１ｄを介して外部に導出するようになっている。また、ガイドレンズ３１ａに３１ａ〜３１ｄの右側には押しボタンスイッチ３２ａの先端が露出している。
【００１６】
図２は、同ハードディスクケースの電気回路構成を示すブロック図である。
上記スロット１１ａ，１１ｂの底には第１のＳＡＴＡ端子３３ａと第２のＳＡＴＡ端子３３ｂとが待ち受け側コネクターとして備えられている。両ＳＡＴＡ端子３３ａ，３３ｂは、Serial Advanced Technology Attachment 規格に準じた接続端子であり、同規格のためのインターフェイス回路３４にそれぞれ接続されている。インターフェイス回路３４は、上記ＳＡＴＡ端子３３ａ，３３ｂに接続されるＳＡＴＡ規格に準じたハードディスクと、ｅＳＡＴＡポート３５あるいはＵＳＢ３．０ポート３６との間での信号変換を司る他、クローン構成回路３２による制御のもとで、ＳＡＴＡ端子３３ａ，３３ｂに接続される二つのハードディスクでクローン化を実現する処理を行う。なお、クローン化とは、一般的にはハードディスクの論理セクタ単位での複製化を指すが、広義には一方のハードディスクの内容を他方のハードディスクの内容として複製して、複製後のハードディスクを複製前のハードディスクのように利用できるものを広く含むものであればよい。また、インターフェイス回路３４は、コンピューターなどとの接続状況、通電状況、各ＳＡＴＡ端子３３ａ，３３ｂへのハードディスクへの装着状況を状態表示ユニット３１にて表示し、また、クローン化の際には進捗状況を同状態表示ユニット３１にて表示する。
【００１７】
この他、クローン化のためのクローン構成回路３２は上述した押しボタンスイッチ３２ａを有しており、長押しを検知すると第１のＳＡＴＡ端子３３ａに接続されたハードディスクの内容で第２のＳＡＴＡ端子３３ｂに接続されたハードディスクの内容をクローン化させるようにインターフェイス回路３４を制御する。このほか、後述する背面側に配置された電源スイッチ３７や、ＡＣアダプタ入力端子３８を有し、ＡＣアダプタ４０から駆動電力が供給される。また、上記ｅＳＡＴＡポート３５あるいはＵＳＢ３．０ポート３６は、外部のコンピューター４１におけるｅＳＡＴＡポート４２あるいはＵＳＢ３．０ポート４３のいずれかと択一的に接続可能である。
【００１８】
このクローン構成回路３２とインターフェイス回路３４は、一方のスロット１１ａに装着されたハードディスクから他方のスロット１１ｂに装着されたハードディスクに記憶内容を転送させる複製回路に相当する。上述したように長押し操作を要求することで誤操作を防止してクローン化の安全性を保持しているが、さらに、挿入されているハードディスクに対するデータの書き込みを、所定の操作に対応して禁止させる書込禁止回路をインターフェイス回路３４内に設けるようにしても良い。さらなる、安全化のためである。
【００１９】
また、一つのハードディスクから他方のハードディスクへその内容のデータを書き込んでいく構成のみならず、一つのハードディスクの内容として固定あるいは特定のデータを逐次書き込んでいくという、いわゆる上書き消去のための所定のデータの書込をさせる上書き消去回路をインターフェイス回路３４内に設けても良い。この場合、コンピューター４１などの外部機器を接続しない状態で、スロット１１ａ，１１ｂのいずれかに挿入されているハードディスクに対してデータの書込をさせるようにしても良い。
【００２０】
この場合、一のスロット１１ａに挿入されるハードディスクをコンピューター４１の外付けハードディスクとして機能させ、他の一のスロット１１ｂに挿入されるハードディスクに対して上記上書き消去回路を機能させるようにすることも可能である。
【００２１】
図３は、ハードディスクケースに２．５型のハードディスクドライブを挿入した状態を示す斜視図であり、図４は、同ハードディスクケースの非使用状態の平面図であり、図５は、同ハードディスクケースの蓋体の平面図である。
２．５型のハードディスクドライブＨ２の厚みは、３．５型のハードディスクドライブの厚みの半分以下である。上記開口部１２は矩形形状であり、その大きさは、概ね３．５型のハードディスクドライブをスムーズに挿入可能で、かつ、特にがたつくことなく支持できる程度の大きさとなっている。この開口部１２は、その開口を短手方向に二分割する一対の蓋体１３，１４が閉塞できるようになっている。それぞれの蓋体１３，１４は、長手方向の開口縁部に沿って両端を回転可能に支持されている。言い換えると、開口形状のうち長手方向の縁部に沿う直線を回動軸芯として内側の端部が円弧軌道を描いて枢動動作可能なように支持されている。蓋体１３，１４は、通常時は同スロット１１ａ，１１ｂの開口を略平面状に閉塞しているが、開口の中央側にて下方に押し下げられると上記開口縁部の側を回転軸として開口動作可能である。むろん、蓋体１３，１４は幅が異なるので、この開口動作時にはそれぞれの内側の先端は異なる円弧を描いて開口動作することになる。
【００２２】
図６は、同ハードディスクケースが開口部を閉塞している状態の概略断面図である。
一対の蓋体１３，１４は一方の蓋体１３が、他方の蓋体１４よりも大きく形成してある。これは蓋体１４の幅が概ね２．５型のハードディスクドライブの厚みに一致するようにしているためである。上述したように一対の蓋体１３，１４の両方で３．５型のハードディスクドライブの厚みに相当する開口を閉塞し、２．５型のハードディスクドライブの厚みは、３．５型のハードディスクドライブの厚みの半分以下だからである。
【００２３】
このように、一対の蓋体１３，１４が配置され、その一方の蓋体１４は単独で開口される時に複数の汎用的なサイズの異なるハードディスクのうち小さい側（２．５型）のハードディスクの厚み相当分の開口を形成する幅としてある。
蓋体１３，１４は開口の外側の回動軸を回動中心として開口の内側の先端が下方に押し下げられて開口可能なように支持されている。開口部１２における短手方向の縁部からは内側に向けて突起１２ａ１，１２ａ２が図６に示すように突出している。各突起１２ａ１，１２ａ２は平面視でそれぞれ蓋体１３，１４の上側に突き出ているので、各蓋体１３，１４はそれぞれ上面が同突起１２ａ１，１２ａ２に当接するとそれ以上は上方向に回動できないようになっている。このとき、両蓋体１３，１４は完全に水平な平面を形成するのではなく、対面し合う端部がやや下方に下がるような位置としている。言い換えると、蓋体１３，１４は、略平面状に同開口を閉塞するにあたり、中央側で上記スロット１１ａ，１１ｂの内側に微少距離だけ引き込まれた位置で待機している。このようにすることで、３．５型や２．５型のハードディスクドライブをスロット１１ａ，１１ｂ内に押し込むときにスムーズに回動し始める。特に、全く平面であると、場合によっては先端同士が当接し、こじりあってスムーズに開かれなくなる原因になる。さらに、どちらかというと、蓋体１４の方がやや下方に向き、蓋体１３の方が水平に近いというように先端の位置を違わせても良い。これは小型の２．５型のハードディスクドライブだけを挿入する機会も多く、そのときに蓋体１３はできるだけ水平に近い状態で同ハードディスクドライブの側面に当接して支持できるようになるからである。
なお、３．５型と２．５型のハードディスクドライブは、外形のサイズは異なるが特定の角を基準とするコネクターの位置および形状が共通する汎用的なハードディスクの一例である。
【００２４】
ここで、図７は、ハードディスクケースの開口部の内周壁面の正面図であり、図８は、上記蓋体に付勢力を付与するコイルスプリングの斜視図である。
図５に示すように、一対の蓋体１３，１４は、それぞれ開口部１２を閉塞する大きさとした板状部分１３ａ，１４ａと、それぞれの板状部分１３ａ，１４ａにおける端面から開口部１２の縁部側で長手方向に沿って短手方向の側に延び、回動動作の回動軸芯に対応して突出する回動軸１３ｂ１，１３ｂ２，１４ｂ１，１４ｂ２を有している。ここで回動軸１３ｂ２，１４ｂ２はたんに端面から外方に延出されるにすぎないが、回動軸１３ｂ１，１４ｂ１については、板状部分１３ａ，１４ａにおける根の部分に、当該回動軸１３ｂ１，１４ｂ１の周囲にコイルスプリング１６を挿入して保持可能な切り欠き１３ｃ，１４ｃを形成してある。このコイルスプリング１６は、回動軸１３ｂ１，１４ｂ１の周囲に保持されつつ一端１６ａを板状部分１３ａ，１４ａに係止され、他端１６ｂをスロット１１ａ，１１ｂにおける内周面に形成した穴１２ｂに係止されることで、上記蓋体１３，１４に対して常に上記開口を閉じる方向に付勢している。なお、上記スロット１１ａ，１１ｂにおける内周面の上記回動軸１３ｂ１，１３ｂ２，１４ｂ１，１４ｂ２が位置する部位には、当該回動軸１３ｂ１，１３ｂ２，１４ｂ１，１４ｂ２を回動可能に収容して支持可能な軸受け部１２ｃが形成されている。また、本実施例ではコイルスプリング１６を使用しているが、上記回動軸１３ｂ１，１４ｂ１の周囲や切り欠き１３ｃ，１４ｃを利用して装着できる各種のバネを利用可能である。
【００２５】
図９は、ハードディスクケース１０の蓋体１３，１４を開ききった状態を示す正面と右側面と上面を見る斜視図であり、図１０は、背面と左側面と上面を見る斜視図である。
スロット１１ａ，１１ｂの内周壁面には、複数のリブ１５が形成されている。本来、開口部１２，１２の形状は概ね３．５型のハードディスクドライブの外形に一致している。従って、蓋体１３，１４を内部下方に押し広げたときには、この開口部１２よりも外側の部分に収容されないと、３．５型のハードディスクドライブを挿入したときに蓋体１３，１４に突き当たる。このため、スロット１１ａ，１１ｂの内部は開口部１２，１２の大きさよりも広くなっていなければならない。このようにして蓋体１３，１４が収容される空間を確保する。
【００２６】
その反面、そのままの開口幅でそこまで広がっていると、ハードディスクドライブを挿入したときに所定の位置、すなわちハードディスクドライブのコネクターと待ち受け側のコネクターとが対面する位置へと正確に誘導できない。このため、スロット１１ａ，１１ｂの内周壁面において上記蓋体１３，１４が収容される位置よりも下方の部位には適宜間隔を空けて複数のリブ１５を突出させており、突出させることで実質的に底の方まで開口部１２と同等の形状のものを正確に誘導できるようになっている。
【００２７】
すなわち、記スロットの内部では、一対の蓋体１３，１４が回動動作されたときに、開口部１２の開口幅を狭めないように当該蓋体１３，１４を収容可能な開口幅で上記底面に向けて開口が形成されている。また、同蓋体１３，１４と干渉しない奥側には、開口幅を上記一対の蓋体１３，１４の間の間隔、すなわち上記開口部１２と略同一にするように内側に向けて突出するリブ１５を形成したことになる。
【００２８】
図１１は、同ハードディスクケースにおける上記蓋体のうち、待ち受け側コネクターの上方を覆う側の蓋体の一方を開いた状態を示す平面図である。
同図に示すように、小さい方の蓋体１４を開いたときに、その下方にスロット１１ａ，１１ｂの底面に配置している待ち受け側のコネクターとして第１のＳＡＴＡ端子３３ａと第２のＳＡＴＡ端子３３ｂとが配設されている。そして、蓋体１４には、底にある第１のＳＡＴＡ端子３３ａと第２のＳＡＴＡ端子３３ｂの配置が分かるように略図を印刷している。本考案の場合、通常時は開口部１２，１２は閉塞されているので、ユーザにとって、待ち受け側のコネクターがスロット１１ａ，１１ｂ内のどこにあるのか分からない。このため、閉塞する蓋体１４に略図を印刷することで、蓋体１３，１４を開けるまでもなく、待ち受け側のコネクターの位置が分かる。
すなわち、一対の蓋体１３，１４における待ち受け側コネクター（第１のＳＡＴＡ端子３３ａと第２のＳＡＴＡ端子３３ｂ）の上方にあたる部位（蓋体１４の一部）には、同待ち受け側コネクターの待ち受け位置を示す印刷が施されていることになる。
【００２９】
図１２は、押上機構の概略構成を示す斜視図である。
スロット１１ａ，１１ｂの底面には第１のＳＡＴＡ端子３３ａと第２のＳＡＴＡ端子３３ｂが立設されているが、これらの端子の近傍に押上機構２０の押上片２２が配置されている。押上機構２０は第１のＳＡＴＡ端子３３ａと第２のＳＡＴＡ端子３３ｂにおいて共通であるので、一方についてのみ説明する。押上片２２は中程の位置をシーソーのように回動可能に支持されており、第１のＳＡＴＡ端子３３ａに近接する側の端部２２ａは他方の端部２２ｂを押し下げることで反動的に上方に押し上げられる。この端部２２ｂは上述した押上レバー２１の下端に対面しており、下方に配置されたスプリング２３によって常に上方に付勢されている。この付勢力は、逆に端部２２ａを下方に押し下げるように作用する。端部２２ａが下方に押し下げられているときは、同端部２２ａは挿入されてくるハードディスクドライブの下端に当接することはない。
【００３０】
端部２２ａは第１のＳＡＴＡ端子３３ａに近い側に所定の薄い厚みの当接片２２ａ１が形成されている。すなわち、待ち受け側コネクターに近い側の薄幅の部位を補強して形成されている。押上片２２の当接片２２ａ１はＳＡＴＡ端子３３ａに摺動間近な距離のところで上下動するので、上方に移動されたときにはハードディスクドライブのコネクターの周縁に当接する。一般にハードディスクドライブのコネクター自体は所定の強度を維持できるように強固に形成されているので、薄厚とした当接片２２ａ１で確実にハードディスクドライブのコネクターの近辺に当接して押し上げることができ、他の強度の不明な部分に当接して破損の原因を生じさせることもない。
【００３１】
一方、端部２２ａにおける当接片２２ａ１以外の部分は、逆に下方に凹ませた形状としてある。すなわち、押上機構２０における押上片２２は、ハードディスクにおける底面に対面する部位において、コネクターに当接する当接片２２ａ１を除き、凹みを形成してあり、同ハードディスクにおけるコネクター以外の凸部に干渉しないようにしている。
【００３２】
図１３は、基板上の平面実装ＬＥＤとガイドレンズの位置関係を示す斜視図である。
状態表示ユニット３１は、透光性のあるガイドレンズ３１ａ〜３１ｄと、状態表示基板３１ｅと、この状態表示基板３１ｅの表面に平面実装されたＬＥＤ３１ｆ１〜３１ｆ３などからなる。なお、ＬＥＤ３１ｆ１〜３１ｆ３は図１３に示しているものだけではなく、各ガイドレンズ３１ａ〜３１ｄごとに複数個が割り当てられている。
複数個のＬＥＤ３１ｆ１〜３１ｆ３が一つのガイドレンズ３１ａに対面して配置されているので、複数個のＬＥＤ３１ｆ１〜３１ｆ３のいずれを点灯させてもガイドレンズ３１ａが点灯するように見える。このように一つのガイドレンズを複数のＬＥＤ３１ｆ１〜３１ｆ３で点灯可能にしているのは、実際には個別の回路で個別の機能を各ＬＥＤ３１ｆ１〜３１ｆ３に割り当てておき、通常時の点灯動作と、特定時の点灯動作を、個別の回路で実現しつつ、あたかも共有の点滅型のランプを使用しているように見せるためである。このため、回路の構成をシンプルにしつつ、点灯する部位は共有させることで物理的スペースの低減を図ることができる。
【００３３】
このように、ハードディスクケース１０内で、表示器としてのガイドレンズ３１ａ〜３１ｄは、状態表示基板３１ｅ上に表面実装されたＬＥＤ３１ｆ１〜３１ｆ３を有し、かつ、ＬＥＤ３１ｆ１〜３１ｆ３は個別の機能と進捗状態を示すものとが別個に用意され、導光性のあるガイドレンズ３１ａ〜３１ｄにて複数のＬＥＤ３１ｆ１〜３１ｆ３の発光状態を一カ所にまとめていることになる。
【００３４】
この例ではハードディスクケース１０には、複数の個別の機能に対応した点滅型の表示器としてのガイドレンズ３１ａ〜３１ｄを並べて配設してあり、通常時には同ガイドレンズ３１ａ〜３１ｄは個別の機能に対応した点滅で同機能を表示し、特定時には複数のガイドレンズ３１ａ〜３１ｄの並びが所定の処理の進捗状態を示すようにする。
上述したように本ハードディスクケース１０は、クローン構成回路３２を有しており、第１のＳＡＴＡ端子３３ａに接続されたハードディスクの内容で第２のＳＡＴＡ端子３３ｂに接続されたハードディスクの内容をクローン化することができる。このクローン化には所定の時間を有するため、ユーザはその進捗状況をおおざっぱにでも把握できると便利である。本実施形態のハードディスクケース１０では、本来の機能として、インターフェイス回路３４が、コンピューターなどとの接続状況、通電状況、各ＳＡＴＡ端子３３ａ，３３ｂへのハードディスクへの装着状況を状態表示ユニット３１のガイドレンズ３１ａ〜３１ｄにて表示している。しかし、クローン化を実施しているときは、進捗状況を同状態表示ユニット３１のガイドレンズ３１ａ〜３１ｄにて表示する。
【００３５】
図１４は、同ハードディスクケースの正面でＬＥＤ部分の周囲の印刷状態を示す正面図である。
同図に示すように、四つのガイドレンズ３１ａ〜３１ｄの上方の余白には、それぞれコンピューターなどとの接続状況、通電状況、各ＳＡＴＡ端子３３ａ，３３ｂへのハードディスクへの装着状況を表す「Ｌｉｎｋ  Ｐｏｗｅｒ  ＨＤＤ１  ＨＤＤ２」の文字が印刷されている。しかし、四つのガイドレンズ３１ａ〜３１ｄの下方の余白には、左から順に「ＣＬＯＡＮＩＮＧ  ０％  ２５％  ５０％  １００％」の文字と左から右に向かう矢印とが記載されている。この表記から、ユーザはクローン化を実施しているときには、これらの四つのガイドレンズ３１ａ〜３１ｄの点滅状態が本来の個別の機能を示しているのではなく、進捗状況を表しているということが一目瞭然として理解できる。このように、ハードディスクケース１０の表面には、個別の機能を示す印刷と、進捗状態を示す印刷とが、二段に付されている。なお、個別の機能の発光色と、進捗状況を表す発光色とを異ならせることで、両方が点灯しても両方の機能を表示できるようにしても良い。
【００３６】
上記構成において、３．５型のハードディスクを当該ハードディスクケース１０で使用しようとする。むろん、未挿入時は、蓋体１３，１４がコイルスプリング１６によって開口部１２を閉塞するように付勢されている。従って、埃やゴミがスロット１１ａ，１１ｂ内に入り込み、ひいては底面で待ち受けているＳＡＴＡ端子３３ａ，３３ｂに入り込んで接続不良を生じることはない。
【００３７】
また、３．５型のハードディスクをスロット１１ａ，１１ｂのいずれかまたは両方に挿入した時は、蓋体１３，１４の先端が当該ハードディスクの底面に突き当てられて下方に向かって回動しつつ開口部１２を開口させ、同ハードディスクの挿入を許容する。そして、最下端位置ではハードディスクのＳＡＴＡコネクターが待ち受け側のＳＡＴＡ端子３３ａ，３３ｂと嵌合して電気的に接続する。
【００３８】
使用後、押上レバー２１を押し下げると、押上片２２における端部２２ｂを押し下げる。すると、反対側の端部２２ａは逆に押し上げられる。このときに端部２２ａのうちのＳＡＴＡ端子３３ａ，３３ｂに近い当接片２２ａ１はハードディスクの強固なコネクターに確実に押し当てられ、補強された当該当接片２２ａ１が確実にハードディスクとハードディスクケースとの嵌合を離脱させる。
【００３９】
一方、２．５型のハードディスクＨ２をスロット１１ａ，１１ｂのいずれかまたは両方に挿入する時は、小さい方の蓋体１４だけが当該ハードディスクの底面に突き当てられて下方に向かって回動しつつ開口部１２を開口させ、同ハードディスクの挿入を許容する。そして、最下端位置ではハードディスクのＳＡＴＡコネクターが待ち受け側のＳＡＴＡ端子３３ａ，３３ｂと嵌合して電気的に接続する。この状態では、２．５型のハードディスクＨ２はスロット１１ａ，１１ｂの奥底側でコネクター同士が嵌合して支持される。また、開口部１２においては、開口部１２の長手方向の縁部と短手方向の縁部は同ハードディスクの側面に当接して支持する作用をなす。一方、ハードディスクの側面のうち、開口部１２の長手方向の縁部に当接する側とは反対の側は、大きい方の蓋体１３の先端が当接することになる。なぜなら、小さい方の蓋体１４はこの２．５型のハードディスクＨ２の厚みに相当する長さとしているからである。また、上述したように、同蓋体１３は略水平面に近い状態となるように下方から上方に付勢されているので、２．５型のハードディスクＨ２をその厚み方向に向けて蓋体１３の側に傾動させる力を加えても、同蓋体１３がこの力に抗して保持しようと作用する。
【００４０】
一方、長手方向の一面だけは開口が生じたままとなる。しかし、ハードディスクＨ２の厚み方向ではなく、その幅方向に傾動させるためには、すぐさまコネクターの嵌合を解除しようとする作用となって働く。しかし、コネクターは容易には接続を解除されない程度の強固な嵌合をしているため、たとえ、この方向に開口が生じていても使用に影響の与える振動や揺動は起きない。また、開口していてもコネクターは接続しているので、埃やゴミが入り込むこともない。
そして、複数のスロット１１ａ，１１ｂにそれぞれハードディスクドライブを挿入した状態で、クローン化を行ったり、完全消去を行えるのは上述したとおりである。
【００４１】
なお、本考案は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【符号の説明】
【００４２】
１０…ハードディスクケース（本体ケース）、１１ａ，１１ｂ…スロット、１２…開口部、１２ａ１，１２ａ２…突起、１２ｂ…穴、１２ｃ…軸受け部、１３，１４…蓋体、１３ａ，１４ａ…板状部分、１３ｂ１，１３ｂ２，１４ｂ１，１４ｂ２…回動軸、１５…リブ、１６…コイルスプリング、１６ａ…一端、１６ｂ…他端、２０…押上機構、２１…押上レバー、２２…押上片、２２ａ…端部、２２ａ１…当接片、２２ｂ…端部、２３…スプリング、３１…状態表示ユニット、３１ａ〜３１ｄ…ガイドレンズ、３１ｅ…状態表示基板、３１ｆ１〜３１ｆ３…ＬＥＤ、３２…クローン構成回路、３２ａ…押しボタンスイッチ、３３ａ，３３ｂ…ＳＡＴＡ端子、３４…インターフェイス回路、３５…ｅＳＡＴＡポート、３６…ＵＳＢ３．０ポート、３７…電源スイッチ、３８…ＡＣアダプタ入力端子、４０…ＡＣアダプタ、４１…コンピューター、４２…ｅＳＡＴＡポート、４３…ＵＳＢ３．０ポート。
【図１】
0003175673.tif 000003
【図２】
0003175673.tif 000004
【図３】
0003175673.tif 000005
【図４】
0003175673.tif 000006
【図５】
0003175673.tif 000007
【図６】
0003175673.tif 000008
【図７】
0003175673.tif 000009
【図８】
0003175673.tif 000010
【図９】
0003175673.tif 000011
【図１０】
0003175673.tif 000012
【図１１】
0003175673.tif 000013
【図１２】
0003175673.tif 000014
【図１３】
0003175673.tif 000015
【図１４】
0003175673.tif 000016